(57)【要約】敷石の環境において柱の形に成形されたアイテムであって、物体は、敷石の環境において使用された敷石の１つまたは組合せとして同じ形状および大きさを有し、柱は、敷石の環境において使用された敷石の１つまたはそれ以上の組合せで代用として載置される。柱の形に成形されたアイテムは、例えば管の形の成形されたピンによって、それらの基部で、敷石システムの柱の形に成形された敷石を接合することにより、内部で固定することができる。【選択図】図２
2008519183.tif 000002
【特許請求の範囲】
【請求項１】
敷石の環境における柱であって、前記柱の前記横断面は、前記敷石の環境において１つまたはそれ以上の使用された敷石と同じ形状およびサイズを有し、そこで、前記柱が、前記敷石の環境において１つまたはそれ以上の使用された敷石のための代用として載置され、またそこで、前記横断面の少なくとも１つの角度は、１００°以上または８０°以下である、および／または、前記横断面は４つの端を有する、または、前記横断面は円形である、または、前記横断面は柔軟で組織的な形状を有する、または、前記横断面は非晶質であることにおいて特徴付けられる柱。
【請求項２】
請求項１に記載の柱であって、前記柱の横断面は、前記柱が載置される好ましくは１、２、３または４つの前記敷石の環境において前記使用された敷石と同一であることにおいて特徴付けられる柱。
【請求項３】
請求項２に記載の柱であって、前記柱は、好ましくは１、２、３または４つの敷石の環境において前記使用された敷石の代用として載置されたことにおいて特徴付けられる柱。
【請求項４】
前記先行する請求項の１つまたはそれ以上に記載の１つまたはそれ以上の柱であって、前記柱は、家具の座部の断片、特にベンチを固定するための支持として使われることにおいて特徴付けられる柱。
【請求項５】
請求項２、３および／または４に記載の１つまたはそれ以上の柱の固定のために使用される支持板であって、前記支持板の領域が、それぞれの数の柱の前記横断面領域のサイズの少なくとも２倍であり、前記支持板は固定するためのものであることにおいて特徴付けられる支持板。
【請求項６】
請求項５に記載の支持板であって、前記支持のシートは、１つまたはそれ以上の好ましくは管状のピンを有することにおいて特徴付けられる支持板。
【請求項７】
電気ケーブルの配線または水道管の担持のための請求項５に記載の支持板の使用。
【請求項８】
先行する請求項の１つまたはそれ以上に記載の柱であって、前記柱は一体型の取付けを有することにおいて特徴付けられる柱。
【請求項９】
請求項８に記載の取付けであって、前記取付けは回転することができることにおいて特徴付けられる取付け。
【請求項１０】
請求項８および９に記載の取付けであって、前記取付けは１つの平面で３６０°回転することができることにおいて特徴付けられる取付け。
【発明の詳細な説明】
【技術分野】
【０００１】
本発明は、敷石システムのパターンがいかなる引掛けもなしで無傷のままであるような敷石システムのアイテムの取付けおよび固定と関連した配置に関する。
敷石システムにおいて、例えばランプ・ポスト、ランプ台および旗竿のような柱の形に成形したアイテムを載置することは、周知の事柄である。敷石が非常に注意深く配置された後に敷石システムの中央で配置されるこれらの取付けは、その領域全体の美的印象をはなはだ損ねる。
形状およびサイズが敷石の周囲の敷石と同一であり、１つの敷石または４つの敷石の代用として取り付けられる、横断面を有しない取り付けられたアイテムによって囲まれる敷石の美的な劣化以上に、敷石の環境において取り付けられたアイテムおよび敷石の間に生じる引掛けによる不都合が存在する。
取り付けられたアイテムおよび敷石の間の前記領域は、敷石の環境においてひどく劣化した領域である。−その理由は、次のことにある。‐以降の仕上げに従い‐それは、望ましくない成長（雑草）に結果としてなる、および／または、動物、特に犬がその本分を実行するのを促進し、美学的に配置された敷石システムは不潔な犬のトイレになる。
また、敷石の環境が破壊された場合に、その後で取り付けられる敷石は最適に固定されないため、物理的に弱められる。不安定化に関する問題は、コンクリートを施している間に、打継目を作成する場合に有する弱点に非常に類似している。
本発明の敷石の環境において、敷石で取り囲まれている、載置された柱の形に成形されたアイテムの安定化を保証するため、載置された柱の形に成形されたアイテムの専用の支えがそこで提供され、支えは面の支持板の一体型の部分である。敷石の間の固定が弱まるのを防ぐため、支持板は前記敷石が置かれる前に、敷石の下の位置に有利に配置できる。
【背景技術】
【０００２】
公知の柱の横断面および公知の敷石の形状から、正方形にされた杭を用いて、４つの曲げられた敷石を占める敷石システムの４つの平角と完璧な適合を作成することが可能であるだけであり、ここで、杭の横断面領域は、１またはおそらく４つの敷石の領域に等しい。
本発明と比較して最も類似した技術は、例えばランプ・ポスト、杭および旗竿のように柱の形に成形されたアイテムの敷石システムにおける取付けに関連しない。本発明と比較して最も類似した技術は、英国特許出願ＧＢ  ２３３２５０５において明らかにされ、この出願は、敷石の環境において構築されたランプに関連する。ランプは、敷石の環境における敷石と同じ高さにある。英国特許出願ＧＢ  ２３３２５０５によるランプは、それが敷石の環境における１つまたはそれ以上の敷石と同じ形状およびサイズを有することにおいて特徴付けられる。本発明と比較して最も類似した技術は、矩形の形状のみを使用して、二次元のみにおける解法に関連する。支持面が砂において隠され、支持面が内側で適合するブラケットを有し、前記ブラケットがアイテムを固定することができる、例えばビーチパラソルであって、例えば、米国特許５２７１１９６に示されるようなビーチパラソルのもののような支持面を使用することは周知である。本発明と比較して最も類似した技術はしたがって、敷石の環境において敷石に囲まれている柱の形に成形されたアイテムの二重の固定に関連していない。
【発明の開示】
【０００３】
敷石の環境の全体の美的印象の劣化、取り付けられたアイテムの間でむきだしの領域が作成される場合にさらに発生する不都合を取り除くことは可能であり、敷石はまた請求項１において特徴付けられるような本発明の説明を使用する場合に取り除かれることは明らかにされた。
本発明の独特の機能面において、敷石システムにおいて取り付けられた柱の形に成形されたアイテムの堅固な安定化を保証することは可能であり、それによって、敷石のパターンは無傷のままである；取り付けられた柱の形に成形されたアイテムを内部で垂直に支え、一方、外側で、載置された柱は敷石システムにおいて敷石を接合することによってそれらの基部で固定されるような、支持のシートがピンを有する支持の一体型のシートを使用する場合、これは達成される。さらに、本発明の他の性能において、支持の一体型のシートは、多くのピンを有することができ、１つのピンは、支持のシートに載置されるすべての柱型の物体のためのものである。敷石システムの最適強度を得るため、敷石が置かれる前に本発明の支持プレートを配置することは好都合である。
取り付けられた柱の形に成形されたアイテムのための内部の垂直の支持ピンは管状であり、電気ケーブルの配線、または、水道管の担持を予定される。前記電気ケーブルは、必要に応じて光またはスイッチの熱源に成端することができる。他方で、水道管は、タップまたは噴水に成端することができる。
取り付けられた柱の形に成形されたアイテムは、ポストまたは類似したものであってもよく、または、柱の形に成形されたアイテムは例えばベンチのための支持であってもよい。例として、本発明を制限する意図は有さず、発明は以下のものに使うことができる：くずカゴ、テーブル、給水栓、バス待合所、自転車スタンド、給水台、旗竿、キオスク、ランプ、パーキングメータ、公衆便所、柱のボックス、小柱、広告台、標識、道標、屋台、屋台テント、タクシー乗り場、および、電話ボックス。
本発明は、図面を参照してさらに説明される；
図１は、周知の敷石の環境における適合の欠如の例を示し、それによって、領域についての全体の美的印象はひどく損ねられ、さらに敷石の環境において取り付けられたアイテムおよび敷石の間に作成されたむきだしの領域の結果として発生する不都合を有する。
図２は、本発明のランプを示し、ランプは敷石システムに載置され、敷石パターンは無傷のままである。
図３は、本発明の広告標識を示し、広告標識は敷石システムに取り付けられ、柱は、敷石の環境における敷石のうちの２つの代用として載置される。このように、敷石システムの物理的な強度の保持、および、無傷の敷石パターンの維持が得られる。
図４は、本発明のベンチを示し、ベンチは敷石システムに取り付けられ、柱は、敷石の環境における敷石のうちの２つの代用として載置される。このように、敷石システムの物理的な強度の保持、および、無傷の敷石パターンの維持が得られる。
図５は、本発明のベンチおよびランプを示し、ベンチおよびランプは敷石システムに取り付けられ、柱は、敷石の環境における敷石のうちの３つの代用として載置される。このように、敷石システムの物理的な強度の保持、および、無傷の敷石パターンの維持が得られる。
図６は、一体型の回転可能な取付け（３）を有する本発明の柱（２）を示し、取付け（３）の回転は、プレート（４）周辺で生じることができる。取付け（３）は、プレート（４）周辺で３６０°の角度において回転することができる。取付け（３）は、例えばベンチ（５）のための取付けとして使われることができる。
図７は、本発明の支持板（６）を示し、本発明のこの実施例において、前記支持板（６）は、電線（８）の配線のために使用される１つの垂直の管型に成形された支持（７）を有するのみである。
図８は、その基部で本発明の柱型に成形された物体を固定する敷石を示す。
【図面の簡単な説明】
【０００４】
【図１】周知の敷石の環境の適合の欠如を示す。
【図２】光の要素を示す。
【図３】広告標識を示す。
【図４】ベンチを示す。
【図５】ベンチおよび広告標識を示す。
【図６】一体型の回転可能な取付けを有する柱を示す。
【図７】支持板によって安定する柱の取付けを示す。
【図８】固定された柱型に成形された要素を示す。
【図１】
2008519183.tif 000003
【図２】
2008519183.tif 000004
【図３】
2008519183.tif 000005
【図４】
2008519183.tif 000006
【図５】
2008519183.tif 000007
【図６】
2008519183.tif 000008
【図７】
2008519183.tif 000009
【図８】
2008519183.tif 000010
【手続補正書】
【提出日】平成18年11月7日(2006.11.7)
【手続補正１】
【補正対象書類名】特許請求の範囲
【補正対象項目名】全文
【補正方法】変更
【補正の内容】
【特許請求の範囲】
【請求項１】
敷石の環境において、１つまたはそれ以上の柱の固定のために使用される支持板であって、前記柱の横断面は、前記敷石の環境において１つまたはそれ以上の使用された敷石と同じ形状およびサイズを有し、そこで、前記柱が、前記敷石の環境において１つまたはそれ以上の使用された敷石のための代用として載置され、またそこで、前記横断面の少なくとも１つの角度は、１００°以上または８０°以下であり、および／または、前記横断面は４つより多くの端を有する、または前記横断面は円形である、または前記横断面は柔軟で組織的な形状を有する、または前記横断面は非晶質であり、またそこで、前記支持板の領域が、前記支持板が固定するそれぞれの柱の前記横断面領域のサイズの少なくとも２倍であることにおいて特徴付けられる支持板。
【請求項２】
請求項１に記載の支持板であって、支持のシートは、１つまたはそれ以上の好ましくは管状のピンを有することにおいて特徴付けられる支持板。
【請求項３】
電気ケーブルの配線または水道管の担持のための、請求項１に記載の支持板の使用。
【国際調査報告】
2008519183.tif 000011
2008519183.tif 000012
2008519183.tif 000013
2008519183.tif 000014